(57)【特許請求の範囲】
【請求項１】
振動発生部及び振動受け部の一方に連結される第１の取付部材と、
振動発生部及び振動受け部の他方に連結される第２の取付部材と、
前記第１の取付部材と前記第２の取付部材との間に配置された弾性体と、
前記弾性体を隔壁の一部として液体が封入され、該弾性体の弾性変形に伴って内容積が変化する主液室と、
液体が封入され内容積が拡縮可能とされた副液室と、
前記主液室と前記副液室とを互いに連通する第１の制限通路と、
前記主液室と前記副液室とを互いに連通し、前記第１の制限通路よりも液体の流通抵抗が小さい第２の制限通路と、
前記主液室と前記副液室との間に設けられ、液体が封入されたシリンダ室と、
前記シリンダ室内を、前記第２の制限通路の一部を構成すると共に前記副液室に連通したオリフィス空間と前記第２の制限通路から隔離された液圧空間とに区画し、前記オリフィス空間及び前記液圧空間の拡縮方向に沿って所定の開放位置と閉塞位置との間で移動可能とされたプランジャ部材と、
前記オリフィス空間内に面するように設けられ、前記第２の制限通路における該オリフィス空間と他の部分とを連通させるオリフィス開口と、
前記プランジャ部材を、前記液圧空間を縮小する前記開放位置側へ付勢する付勢部材と、
前記主液室と前記液圧空間との間に配置され、前記主液室内の液圧変化に伴って該主液室と前記液圧空間との間で一方向へのみ液体を流出させ得る逆止弁と、
前記プランジャ部材が、前記付勢部材の付勢力により前記開放位置へ復帰する際に、前記加圧空間内の液体を前記オリフィス空間又は前記副液室内へ流出させる液圧解放路と、
前記オリフィス空間内に面するように設けられ、前記第２の制限通路における該オリフィス空間を他の部分に連通させる補助開口と、を有し、
前記プランジャ部材が、前記付勢部材の付勢力により前記開放位置へ移動すると、前記オリフィス開口を開放し、前記液圧空間内の液圧により前記付勢部材の付勢力に抗して前記前記閉塞位置に移動すると、前記オリフィス開口を閉塞させつつ、前記主液室内の液圧変化に伴って前記拡縮方向へ振動すると共に、前記補助開口を周期的に開閉することを特徴とする防振装置。
【請求項２】
前記第１の制限通路の前記主液室側の一部を、前記第２の制限通路の一部を形成する共用オリフィス部として構成すると共に、前記第１の制限通路の前記副液室側の他の一部を専用オリフィス部として構成し、
前記補助開口は、前記オリフィス空間を前記共用オリフィス部に連通させることを特徴とする請求項１記載の防振装置。
【請求項３】
前記オリフィス開口を前記シリンダ室の内周面に開口させると共に、
前記プランジャ部材が前記閉塞位置にある時に、前記拡縮方向に沿って前記プランジャ部材の一部を前記シリンダ室の内周面における前記オリフィス開口の周縁部にオーバラップさせ、該プランジャ部材と前記シリンダ室の内周面とのオーバラップ領域の前記拡縮方向に沿った幅を、前記主液室内の液圧変化に伴って前記拡縮方向へ振動するプランジャ部材の振幅よりも大きくしたことを特徴とする請求項１又は２記載の防振装置。
【請求項４】
前記補助開口を、その一端部を前記プランジャ部材における前記プランジャ側オーバラップ領域に開口させると共に、他端部を前記オリフィス空間内に面するように開口させたことを特徴とする請求項３記載の防振装置。
【請求項５】
前記補助開口を、その一端部を前記シリンダ室の内周面における前記開口側オーバラップに開口させると共に、他端部を前記第１の制限通路内に面するように開口させたことを特徴とする請求項３記載の防振装置。
【請求項６】
前記第１の取付部材を略筒状に形成し、該第１の取付部材の内周側に前記弾性体及びダイヤフラムを隔壁の一部として外部から区画された液室空間を設けると共に、前記液室空間内に、該液室空間を前記弾性体が隔壁の一部とされた前記主液室と前記ダイヤフラムが隔壁の一部とされた前記副液室とに区画する仕切部材を設け、
前記第２の制限通路の一部を前記仕切部材に外周面に沿って設けると共に、前記シリンダ室を前記仕切部材の内周側に設けたことを特徴とする請求項１乃至５の何れか１項記載の防振装置。
【発明の詳細な説明】
【技術分野】
【０００１】
本発明は、振動を発生する部材からの振動の伝達を防止する流体封入式の防振装置に係り、特に、自動車のエンジンマウント等に好適に用いられる防振装置に関する。
【背景技術】
【０００２】
例えば、乗用車等の車両では、振動発生部となるエンジンと振動受け部となる車体との間にエンジンマウントとしての防振装置が配設されており、この防振装置がエンジンから発生する振動を吸収し、車体側に伝達されるのを阻止するような構造となっている。この種の防振装置としては、幅広い周波数の振動に対応すべく、主液室及び副液室と、これらの液室をそれぞれ連通する複数本のオリフィスが設けられ、入力振動の周波数に応じて、複数本のオリフィスのうち１本のオリフィスにより主液室と副液室とが連通するように、電磁ソレノイド等により駆動されるバルブ機構により複数本のオリフィスを選択的に開閉するものが知られている。
【０００３】
つまり、この防振装置には、オリフィスの開閉状態を制御し、複数のオリフィス間で液体の通路を切り替える為の電気的な電磁ソレノイド等が必要なだけでなく、これら電磁ソレノイド等を入力振動の周波数等に基づいて動作させ、オリフィスを切り替えさせるコントローラが構造上、必要であった。しかし、これらの電磁ソレノイド及びコントローラは、比較的高価なものであり、またこれらの部品は防振装置の構造を著しく複雑化すると共に、車両への取付作業を煩雑なものにする要因となっていた。
【０００４】
上記のような問題に鑑み、本出願の発明者等は、特許文献１において、主液室と副液室がシェイクオリフィス及びアイドルオリフィスによりそれぞれ連通されており、前記アイドルオリフィスの一部を形成すると共に副液室に連通したシリンダ空間内に配置されたプランジャ部材が、シェイク振動の入力時には主液室の液圧によりアイドルオリフィスを閉塞する閉塞位置へ移動し、アイドル振動時にはプランジャ部材をコイルスプリングの付勢力によりアイドルオリフィスを開放する開放位置へ移動させる防振装置を開示している。
【０００５】
すなわち、特許文献１の防振装置では、外筒内の空間を主液室と副液室とに区画する仕切部材が設けられると共に、この仕切部材の内周側に形成されたシリンダ室内にプランジャ部材が軸方向へ移動可能に配置されており、振動入力時には、主液室内に大きな液圧変化生じることにより、この液圧変化に伴って主液室内の液体が逆止弁を通してシリンダ室内の主液室側の空間（液圧空間）に流入し、この液圧空間内の液圧を主液室内の液圧上昇時の液圧（最高圧）と平衡するまで上昇させる。
【０００６】
このとき、相対的に周波数が低く振幅が大きいシェイク振動が入力する場合には、液圧空間内の相対的に高い液圧によりプランジャ部材がコイルスプリングの付勢力に抗して開放位置から閉塞位置まで移動し、この閉塞位置に保持される。また相対的に周波数が高く振幅が小さいアイドル振動が入力する場合には、液圧空間内の液圧が相対的に低いものになるので、プランジャ部材が開放位置にある場合にはコイルスプリングの付勢力により開放位置に保持され、閉塞位置にある場合にはコイルスプリングの付勢力により開放位置に復帰する。
【特許文献１】国際公開ＷＯ２００４／０８１４０８号
【発明の開示】
【発明が解決しようとする課題】
【０００７】
ところで、特許文献１記載の防振装置では、シェイク振動が入力すると、プランジャ部材が開放位置から閉塞位置へ移動し、シェイク振動の入力中は液圧空間内の液圧により継続的にプランジャ部材が閉塞位置に保持され、このプランジャ部材によりオリフィス開口が完全に閉塞された状態となる。
【０００８】
しかしながら、特許文献１のような防振装置では、車両の走行状態から停止状態への運転状況の変化に伴って入力振動がシェイク振動からアイドル振動に変化した際に、オリフィス開口（アイドルオリフィス）が完全に閉塞されたままの状態（シェイクモード）では、入力振動がシェイク振動からアイドル振動に変化しても、主液室内の液圧（液圧振幅）が比較的高いままに維持されることから、プランジャ部材を開放位置側へ付勢するコイルスプリングの付勢力を、液圧空間内の液圧により生じるプランジャ部材を閉塞位置に保持しようとする保持力に対して十分に大きくできない場合が生じ得る。
【０００９】
従って、特許文献１のような防振装置では、主液室内の液圧振幅が十分に小さくならないと、閉塞位置にあるプランジャ部材がコイルスプリングの付勢力により開放位置側へ移動開始せず、又は移動開始までの時間（応答時間）が遅延してアイドルオリフィスを閉塞状態から開放状態にするまでの所要時間が増加する、という問題が生じることがある。
【００１０】
本発明の目的は、上記事実を考慮して、入力振動が相対的に低周波域振動から高周波域振動に変化した際に、閉塞位置にあるプランジャ部材が開放位置に移動するまでの時間が遅延することを防止できる防振装置を提供することにある。
【課題を解決するための手段】
【００１１】
上記の目的を達成するため、本発明の請求項１に係る防振装置は、振動発生部及び振動受け部の一方に連結される第１の取付部材と、振動発生部及び振動受け部の他方に連結される第２の取付部材と、前記第１の取付部材と前記第２の取付部材との間に配置された弾性体と、前記弾性体を隔壁の一部として液体が封入され、該弾性体の弾性変形に伴って内容積が変化する主液室と、液体が封入され内容積が拡縮可能とされた副液室と、前記主液室と前記副液室とを互いに連通する第１の制限通路と、前記主液室と前記副液室とを互いに連通し、前記第１の制限通路よりも液体の流通抵抗が小さい第２の制限通路と、前記主液室と前記副液室との間に設けられ、液体が封入されたシリンダ室と、前記シリンダ室内を、前記第２の制限通路の一部を構成すると共に前記副液室に連通したオリフィス空間と前記第２の制限通路から隔離された液圧空間とに区画し、前記オリフィス空間及び前記液圧空間の拡縮方向に沿って所定の開放位置と閉塞位置との間で移動可能とされたプランジャ部材と、前記オリフィス空間内に面するように設けられ、前記第２の制限通路における該オリフィス空間と他の部分とを連通させるオリフィス開口と、前記プランジャ部材を、前記液圧空間を縮小する前記開放位置側へ付勢する付勢部材と、前記主液室と前記液圧空間との間に配置され、前記主液室内の液圧変化に伴って該主液室と前記液圧空間との間で一方向へのみ液体を流出させ得る逆止弁と、前記プランジャ部材が、前記付勢部材の付勢力により前記開放位置へ復帰する際に、前記加圧空間内の液体を前記オリフィス空間又は前記副液室内へ流出させる液圧解放路と、前記オリフィス空間内に面するように設けられ、前記第２の制限通路における該オリフィス空間を他の部分に連通させる補助開口と、を有し、前記プランジャ部材が、前記付勢部材の付勢力により前記開放位置へ移動すると、前記オリフィス開口を開放し、前記液圧空間内の液圧により前記付勢部材の付勢力に抗して前記前記閉塞位置に移動すると、前記オリフィス開口を閉塞させつつ、前記主液室内の液圧変化に伴って前記拡縮方向へ振動すると共に、前記補助開口を周期的に開閉することを特徴とする。
【００１２】
本発明の請求項１に係る防振装置の作用を以下に説明する。
【００１３】
請求項１の防振装置では、基本的に、第１及び第２の取付部材の何れか一方に振動が伝達されると、第１及び第２の取付部材間に配置された弾性体が弾性変形し、この弾性体の内部摩擦等に基づく吸振作用によって振動が吸収され、振動受け部側へ伝達される振動が低減される。
【００１４】
また請求項１に係る防振装置では、主液室と副液室とが第１の制限通路により互いに連通すると共に、オリフィス開口が開口している状態では、主液室と副液室が第１の制限通路よりも液体の流通抵抗が小さい第２の制限通路によっても互いに連通する。更に、請求項１に係る防振装置では、開放位置にあったプランジャ部材が、逆止弁を通して主液室から液圧空間内へ供給される液圧により閉塞位置へ移動すると、弾性体の弾性変形に伴って、第１の制限通路のみを通って主液室と副液室との間を液体が行き来し、また閉塞位置にあったプランジャ部材が、付勢部材の付勢力により開放位置へ復帰すると、第１の制限通路及び第２の制限通路の双方が開放された状態となるが、弾性体の弾性変形に伴って、液体の流通抵抗が相対的に小さい第２の制限通路を優先的に通って主液室と副液室との間を液体が行き来する。
【００１５】
すなわち、請求項１に係る防振装置では、相対的に周波数が低く振幅が大きい振動（以下、「低周波域振動」という。）が入力した場合には、この低周波域振動によって弾性体が弾性変形し、主液室内に相対的に大きな液圧変化が生じると共に、主液室内の周期的な液圧変化時に逆止弁を通して主液室から液圧空間へ液体が流入し、又は液圧空間から主液室へ液体が流出して、液圧空間内の液圧も主液室内の液圧（最高値又は最低値）と略平衡する平衡圧に達する。このとき、付勢部材の付勢力を液圧空間内の平衡圧に対応する値よりも小さく設定しておけば、プランジャ部材が付勢部材の付勢力に抗して開放位置から閉塞位置側へ間欠的に移動し、液圧空間内の液圧により閉塞位置へ保持される。
【００１６】
このとき、第１の制限通路における液体の流通抵抗を低周波域振動の周波数及び振幅に対応するように設定（チューニング）しておけば、第１の制限通路を通って主液室と副液室との間を行き来する液体に共振現象（液柱共振）が生じるので、この液柱共振の作用によって低周波域振動を特に効果的に吸収できる。
【００１７】
また請求項１に係る防振装置では、相対的に周波数が高く振幅が小さい振動（以下、「高周波域振動」という。）が入力した場合には、この高周波域振動によって弾性体が弾性変形すると共に、主液室内に相対的に小さな液圧変化が生じることから、この場合にも、主液室内の周期的な液圧変化時に逆止弁を通して主液室から液圧空間へ液体が流入し、又は液圧空間から主液室へ液体が流出して、液圧空間内の液圧も主液室内の液圧（最高値又は最低値）と略平衡する平衡圧に達する。このとき、付勢部材の付勢力を液圧空間内の平衡圧に対応する値よりも大きく設定しておけば、プランジャ部材が開放位置にあるときには、付勢部材の付勢力により開放位置に保持され、また閉塞位置にある場合には、付勢部材の付勢力により閉塞位置から開放位置へ移動（復帰）する。
【００１８】
従って、請求項１に係る防振装置では、高周波域振動の入力時には、弾性体の弾性変形に伴って、第１の制限通路に対して液体の流通抵抗が小さい第２の制限通路を優先的に通って主液室と副液室との間を液体が行き来することから、振動発生部から振動受け部へ伝達される高周波域振動を効果的に低減できる。
【００１９】
このとき、第２の制限通路における液体の流通抵抗を高周波域振動の周波数及び振幅に対応するように設定（チューニング）しておけば、第２の制限通路を通って主液室と副液室との間を行き来する液体に共振現象（液柱共振）が生じるので、この液柱共振の作用によって高周波域振動を特に効果的に吸収できる。
【００２０】
この結果、請求項１に係る防振装置によれば、電磁ソレノイドや空圧ソレノイド等の外部からの制御及び動力供給を受けて作動するバルブ機構を用いることなく、入力振動の周波数変化に応じて、主液室と副液室とを連通する制限通路を第１の制限通路及び第２の制限通路の何れか一方に、主液室内の液圧変化を駆動力として用いて切り換えることができる。
【００２１】
また請求項１に係る防振装置では、プランジャ部材が、液圧空間内の液圧により付勢部材の付勢力に抗して前記閉塞位置に移動すると、低周波域振動の入力時にプランジャ部材が閉塞位置に移動した際に、液圧空間内には逆止弁を通して主液室の加圧又は減圧状態の液体が間欠的に供給（排出）されるが、液体が供給（排出）されない時期には、加圧空間内の液圧が付勢部材からの付勢力を受けたプランジャ部材により加圧又は減圧されて変化するので、液圧空間内の液圧が主液室内の液圧変化に同期して周期的に変化する現象が生じる。
【００２２】
これにより、プランジャ部材は、付勢部材からの付勢力とのバランスを保ちつつ、液圧空間内の周期的な液圧変化に伴い拡縮方向に沿って振動する。このとき、補助開口をプランジャ部材の振動範囲の一部と重複するような部位に配置しておけば、閉塞位置に移動したプランジャ部材が低周波域振動に同期して振動すると共に、補助開口の一部ないし全部を周期的（間欠的）に開閉する。
【００２３】
従って、請求項１に係る防振装置では、低周波域振動の入力時にプランジャ部材が閉塞位置へ移動すると、プランジャ部材により補助開口が入力振動の一周期内における所定の期間（一周期よりも短い時間間隔）にのみ開放されるので、この補助開口が開放された時期には、補助開口及びプランジャ部材により液体流通が絞られた状態となった第２の制限通路を通して主液室と副液室とが制限的に連通する。
【００２４】
この結果、請求項１に係る防振装置によれば、低周波域振動の入力時にプランジャ部材が閉塞位置へ移動してオリフィス開口を閉塞しても、入力振動に同期して補助開口を周期的に開放することにより、プランジャ部材により開放された補助開口の開口面積及び開口時間を適宜調整すれば主液室内の液圧変化を所望量だけ小さくなるように制御することができるので、入力振動が低周波域振動から高周波域振動に変化した場合に、プランジャ部材を開放位置側へ付勢する付勢部材の付勢力が小さくても、プランジャ部材が開放位置へ容易に復帰可能になる。
【００２５】
これにより、入力振動が低周波域振動から高周波域振動に変化した場合に、入力振動がアイドル振動に変化してからプランジャ部材が開放位置側へ移動開始するまでの時間（応答時間）を十分に短いものにできるので、プランジャ部材により第２の制限通路を閉塞状態から開放状態にするまでの所要時間を効果的に短縮できる。
【００２６】
また本発明の請求項２に係る防振装置は、請求項１記載の防振装置において、前記第１の制限通路の前記主液室側の一部を、前記第２の制限通路の一部を形成する共用オリフィス部として構成すると共に、前記第１の制限通路の前記副液室側の他の一部を専用オリフィス部として構成し、前記補助開口は、前記オリフィス空間を前記共用オリフィス部に連通させることを特徴とする。
【００２７】
また本発明の請求項３に係る防振装置は、請求項１又は２記載の防振装置において、前記オリフィス開口を前記シリンダ室の内周面に開口させると共に、前記プランジャ部材が前記閉塞位置にある時に、前記拡縮方向に沿って前記プランジャ部材の一部を前記シリンダ室の内周面における前記オリフィス開口の周縁部にオーバラップさせ、該プランジャ部材と前記シリンダ室の内周面とのオーバラップ領域の前記拡縮方向に沿った幅を、前記主液室内の液圧変化に伴って前記拡縮方向へ振動するプランジャ部材の振幅よりも大きくしたことを特徴とする。
【００２８】
また本発明の請求項４に係る防振装置は、請求項３記載の防振装置において、前記補助開口を、その一端部を前記プランジャ部材における前記プランジャ側オーバラップ領域に開口させると共に、他端部を前記オリフィス空間内に面するように開口させたことを特徴とする。
【００２９】
また本発明の請求項５に係る防振装置は、請求項３記載の防振装置において、前記補助開口を、その一端部を前記シリンダ室の内周面における前記開口側オーバラップに開口させると共に、他端部を前記第１の制限通路内に面するように開口させたことを特徴とする。
【００３０】
また本発明の請求項６に係る防振装置は、請求項１乃至５の何れか１項記載の防振装置において、前記第１の取付部材を略筒状に形成し、該第１の取付部材の内周側に前記弾性体及びダイヤフラムを隔壁の一部として外部から区画された液室空間を設けると共に、前記液室空間内に、該液室空間を前記弾性体が隔壁の一部とされた前記主液室と前記ダイヤフラムが隔壁の一部とされた前記副液室とに区画する仕切部材を設け、前記第２の制限通路の一部を前記仕切部材に外周面に沿って設けると共に、前記シリンダ室を前記仕切部材の内周側に設けたことを特徴とする。
【発明の効果】
【００３１】
以上説明したように、本発明に係る防振装置によれば、入力振動が相対的に低周波域振動から高周波域振動に変化した際に、閉塞位置にあるプランジャ部材が開放位置に移動するまでの時間が遅延することを防止できる。
【発明を実施するための最良の形態】
【００３２】
以下、本発明の実施形態に係る防振装置について図面を参照して説明する。なお、図中、符号Ｓは装置の軸心を表しており、この軸心Ｓに沿った方向を装置の軸方向として以下の説明を行う。
【００３３】
（第１の実施形態）
図１及び図２には本発明の第１の実施形態に係る防振装置が示されている。図１に示されるように、防振装置１０には、その外周側に薄肉円筒に形成された外筒金具１２が設けられると共に、この外筒金具１２の内周側に取付金具２０が略同軸的に配置されている。外筒金具１２には、その上端部に外周側へ延出する環状のフランジ部１４が屈曲形成されると共に、下端部に装置の組立時に内周側へテーパ状に折り曲げられるかしめ部１６が形成されており、これらのフランジ部１４とかしめ部１６との中間に内周側へ向かって断面Ｖ字状に屈曲された絞り部１８が全周に亘って形成されている。防振装置１０は、外筒金具１２がカップ状のホルダ金具（図示省略）内へ嵌挿されることにより、このホルダ金具を介してして車両における車体側へ連結される。
【００３４】
取付金具２０は、その上端側が略一定の外径を有する円柱状に形成されると共に、下端側が下方へ向かってテーパ状に外径が縮径する略円錐台状に形成されており、この取付金具２０には、その上端面から下端側へ向かって軸心Ｓに沿ってねじ穴２２が穿設されている。防振装置１０は、取付金具２０のねじ穴２２に捻じ込まれたボルト等の締結部材及びブラケットステーを介して車両におけるエンジン側に連結固定される。
【００３５】
防振装置１０には、外筒金具１２と取付金具２０との間に略肉厚リング状に形成されたゴム弾性体２４が配置されている。ゴム弾性体２４は、その外周面が外筒金具１２の内周面における絞り部１８の上側に加硫接着されると共に、内周面が取付金具２０の外周面下端側に加硫接着されている。これにより、ゴム弾性体２４は外筒金具１２と取付金具２０とを弾性的に連結する。
【００３６】
ゴム弾性体２４は、その断面が取付金具２０から外筒金具１２へ向かって下方へ傾斜する略ハ字状に形成されている。これにより、ゴム弾性体２４の下面中央部には、下方から上方へ向かって内径が狭くなる略円錐台状の凹部２６が形成される。ゴム弾性体２４には、その上端外周部から外周側へ延出する断面矩形状のストッパ部２８が一体的に形成されており、このストッパ部２８は、外筒金具１２のフランジ部１４における周方向に沿った一部に加硫接着されている。このストッパ部２８は、防振装置１０が車両に取り付けられた状態で、軸方向に沿ってエンジン側に大きな相対変位が生じた場合に、ブラケットステー等へ当接してエンジン側の変位を制限すると共に衝突音の発生を防止する。
【００３７】
ゴム弾性体２４には、その下端内周部に取付金具２０の下端部を覆うインナクッション部３０が一体的に形成されると共に、外筒金具１２の絞り部１８の内周側に段差部３２が一体的に形成されている。この段差部３２は、その下面側が平面状に形成されており、絞り部１８により外周側から軸方向への変形が制限されるように支持されている。またゴム弾性体２４には、段差部３２の下端外周部から下方へ延出する薄肉円筒状の被覆部３４が一体的に形成されている。この被覆部３４は、外筒金具１２の内周面を覆うように下端部まで延出され、外筒金具１２に加硫接着されている。
【００３８】
防振装置１０には、外筒金具１２の内周側に全体として略肉厚円板状に形成された仕切金具３６（図３参照）が嵌挿されている。仕切金具３６は、その上面外周部を段差部３２の下面側へ当接させると共に、外周面を被覆部３４を介して外筒金具１２の内周面へ圧接させている。また防振装置１０には、外筒金具１２の内周側における仕切金具３６の下側に環状の支持筒３８が嵌挿されている。支持筒３８は、その上端側を仕切金具３６の下面外周部へ当接させると共に、被覆部３４を介して外周面を外筒金具１２の内周面へ圧接させている。防振装置１０では、外筒金具１２内に仕切金具３６及び支持筒３８が嵌挿された状態で、外筒金具１２のかしめ部１６が上端側から下端側へ向かって内外径が縮径するように折り曲げられる。これにより、外筒金具１２内で仕切金具３６及び支持筒３８が段差部３２（絞り部１８）とかしめ部１６との間に固定される。
【００３９】
支持筒３８には、その内周側にゴム材料により薄肉円板状に成形されたダイヤフラム４０が配置されており、このダイヤフラム４０は、その外周縁部が全周に亘って支持筒３８の内周面に加硫接着されている。これにより、外筒金具１２内には、その軸方向に沿った上端側がゴム弾性体２４により閉塞されると共に、下端側がダイヤフラム４０により閉塞された略円柱状の空間（液室空間）が形成され、この液室空間は仕切金具３６によりゴム弾性体２４を隔壁の一部とする主液室４２及びダイヤフラム４０を隔壁とする副液室４４に区画される。これらの主液室４２及び副液室４４内には、それぞれ水、エチレングリコール等の液体が充填される。
【００４０】
ここで、主液室４２は、その内容積がゴム弾性体２４の弾性変形に伴って変化（拡縮）し、またダイヤフラム４０は、副液室４４の内容積を拡縮する方向へ十分に小さい荷重（液圧）で変形可能とされている。
【００４１】
図５に示されるように、仕切金具３６には、その下部側に合成樹脂やアルミニウム等の金属材料により形成されたオリフィス部材４６が設けられると共に、このオリフィス部材４６の上側に有底円筒状の蓋部材４８が配置されている。オリフィス部材４６は、下面側が底板部５０により閉止された肉厚の有底円筒状に形成されており、底板部５０には、周方向に沿った寸法が内周側から外周側へ向かって広がる略扇状に形成された複数個（例えば、４個）の流通開口５２が穿設されると共に、図３に示されるように、流通開口５２の内周側に肉厚円筒状のボス部５４が一体的に形成されている。
【００４２】
図３に示されるように、ボス部５４は、その軸方向に沿った寸法が底板部５０の厚さよりも大きくなっており、底板部５０の上面部及び下面部からそれぞれ突出している。ボス部５４には上面中央部に円形凹状の座受穴５６が開口しており、この座受穴５６には後述するコイルスプリング９０の下端部が挿入される。またボス部５４には、座受穴５６の底面とボス部５４の下面との間を貫通する逃げ穴５８が穿設されている。この逃げ穴５８の内径は座受穴５６の内径よりも小径とされており、この逃げ穴５８内には、後述するプランジャ部材７８のガイド筒部８２が挿脱可能に挿入される。
【００４３】
図５に示されるように、オリフィス部材４６には、その外周面上端部に下端側よりも外径が小さい嵌挿部６０が形成されている。またオリフィス部材４６には、外周面における段差部６２と下端部との間に周方向に対して所定角度傾いたスパイラル方向に沿って延在する凹状の溝部６４が形成されている。
【００４４】
オリフィス部材４６には、図６（Ｂ）に示されるように、嵌挿部６０の一部を軸方向へ凹状に切り欠いて、溝部６４の長手方向に沿った主液室４２側の一端部をオリフィス部材４６の上面部まで連通させる連通路６６が形成されている。またオリフィス部材４６には、図６（Ｃ）に示されるように、その下端部の一部を軸方向へ矩形状に切り欠いて、溝部６４の長手方向に沿った他端部をオリフィス部材４６の下面まで連通させる連通路６８が形成されている。
【００４５】
溝部６４には、主液室４２側の一端から長手方向（スパイラル方向）中間部までの区間に共用オリフィス部７０が設けられると共に、この共用オリフィス部７０に対して副液室４４側に専用オリフィス部７２が設けられている。ここで、共用オリフィス部７０及び専用オリフィス部７２は、その径方向に沿った深さは同じになっているが、共用オリフィス部７０は、その軸方向に沿った幅が専用オリフィス部７２の軸方向に沿った幅よりも所定長だけ長くなっている。これにより、共用オリフィス部７０は、その断面積が専用オリフィス部７２の断面積よりも大きくなり、この共用オリフィス部７０の断面積は、車両のアイドリング運転時に発生するアイドル振動の周波数（例えば、１８〜３０Ｈｚ）及び振幅に対応するように設定されている。また共用オリフィス部７０の路長は、溝部６４の長手方向に沿った寸法（路長）の１／２以下となるように設定されている。
【００４６】
オリフィス部材４６には、図６（Ａ）に示されるように、溝部６４における共用オリフィス部７０と専用オリフィス部７２との境界部付近に、溝部６４（吸振用オリフィス部７０）の内周側の底面部からオリフィス部材４６の内周面まで貫通するオリフィス開口７４が穿設されている。このオリフィス開口７４は周方向へ細長いスロット状に形成されている。ここで、オリフィス開口７４の開口面積は、共用オリフィス部７０の断面積以上になっている。
【００４７】
またオリフィス開口７４は、その内周端に沿った両端部の形状が略半円形とされており、この両端部付近での液体の流通抵抗の増加が抑制されている。またオリフィス開口７４の内周縁部（エッジ部）における液体の流通方向に沿った断面形状を凸の半円状や楔状として、エッジ部での液体の流通抵抗の増加を抑制するようにして良い。
【００４８】
図６（Ａ）に示されるように、オリフィス部材４６には、オリフィス開口７４の下端側の長手方向中央部から下方へ延出する補助開口１３４が形成されている。この補助開口１３４も、オリフィス開口７４と同様に、径方向に沿って共用オリフィス部７０の底面部からオリフィス部材４６の内周面まで貫通しており、その断面形状がオリフィス開口７４側（上端側）が開口したＵ字状に形成されている。この補助開口１３４の軸方向に沿った長さＨは、後述する閉塞位置にあるプランジャ部材７８のオリフィス開口７４に対するオーバラップ量ＯＬ（図４参照）よりも小さくなっている。
【００４９】
図６（Ｃ）に示されるように、オリフィス部材４６の内周側には円柱状の空間が形成され、この円柱状の空間は、後述するプランジャ部材７８が収納されるシリンダ室７６とされる。プランジャ部材７８は、図５に示されるように、肉厚円板状に形成されており、シリンダ室７６を軸方向に沿って主液室４２側の小空間である液圧空間１３０（図３参照）と副液室４４側の小空間であるオリフィス空間１３２（図４参照）とに区画している。またプランジャ部材７８は、その外周面下端側のエッジ部７９がオリフィス開口７４の長手方向と平行に延在している。
【００５０】
図３に示されるように、プランジャ部材７８には、その下面側における周縁部と中央部との間には周方向へ延在する環状凹部８０が形成されている。またプランジャ部材７８には、その下面中央部から下方へ突出する肉厚円筒状のガイド筒部８２が一体的に形成されると共に、このガイド筒部８２の中央部を軸方向へ貫通する軸受穴８４が穿設されている。プランジャ部材７８には、ガイド筒部８２の基端部にガイド筒部８２よりも大径とされた円柱状の座受部８６が同軸的に形成されている。またプランジャ部材７８には、その上面中央部に円形凹状の逃げ部８８が形成されている。
【００５１】
プランジャ部材７８は、図３に示されるように、オリフィス部材４６のシリンダ室７６内へ挿入され、シリンダ室７６の内周面に沿って軸方向に移動可能（スライド可能）となる。このとき、プランジャ部材７８は、ガイド筒部８２の先端側をオリフィス部材４６の座受穴５６及び逃げ穴５８内にも同軸的に挿入するが、ガイド筒部８２の外径は、座受穴５６及び逃げ穴５８の内径よりも小径であることから、プランジャ部材７８は、オリフィス部材４６の底板部５０へ接することなく、軸方向に沿って所定の範囲（後述する閉塞位置と開放位置との間）で移動可能になる。また仕切金具３６には、オリフィス部材４６の底板部５０とプランジャ部材７８との間に付勢部材としてのコイルスプリング９０が配置されている。
【００５２】
コイルスプリング９０は、その上端部をプランジャ部材７８の座受部８６の外周側に外嵌すると共に、その下端部をオリフィス部材４６の座受穴５６内へ挿入している。この状態で、コイルスプリング９０は、その上端面（上側座面）をプランジャ部材７８における座受部８６の周縁部へ圧接させると共に、下端面（下側座面）を座受穴５６の底面部へ圧接させ、プランジャ部材７８及び底板部５０により常に圧縮状態に保持されている。これにより、コイルスプリング９０はプランジャ部材７８を常に上方（主液室４２側）へ付勢する。
【００５３】
図３に示されるように、仕切金具３６では、蓋部材４８がオリフィス部材４６における嵌挿部６０の外周側に嵌挿固定されている。これにより、オリフィス部材４６のシリンダ室７６の上端側が蓋部材４８の頂板部９２により閉止される。蓋部材４８には、図５に示されるように、頂板部９２の中央部に円形の嵌挿穴９４が穿設されると共に、この嵌挿穴９４の外周側に扇状に形成された複数個（本実施形態では、４個）の弁座開口９６が形成されている。これら弁座開口９６は、軸心Ｓを中心として対称的な位置関係（点対称）となるように配置されている。また蓋部材４８には、図５に示されるように、その外周部にオリフィス部材４６の上端側の連通路６６（図６(Ｂ）参照）に面するように切欠部９８が形成されている。共用オリフィス部７０は、蓋部材４８の切欠部９８及び連通路６６を介して副液室４４内へ連通している。
【００５４】
図５に示されるように、仕切金具３６には、蓋部材４８とプランジャ部材７８との間に略円板状のホルダ部材１００が配置されると共に、このホルダ部材１００と蓋部材４８との間に略円板状の弁体１０２が介装されている。ホルダ部材１００には、図３に示されるように、その中央側に底の浅い有底円筒状とされた弁体ホルダ１０４が形成されると共に、この弁体ホルダ１０４の上端部から外周側へ延出する環状のフランジ部１０６が屈曲形成されている。またホルダ部材１００には、弁体ホルダ１０４の底板部１０５の外周部にそれぞれ扇状に形成された複数個の連通開口１０８が穿設されている。
【００５５】
図３に示されるように、ホルダ部材１００には、底板部１０５の中央部に肉厚円板状のボス部１１０が一体的に形成されると共に、このボス部１１０の下面中央部から軸心Ｓに沿って下方へ突出する丸棒状のガイドロッド１２０が一体的に形成されている。またボス部１１０の上面側には、円形凹状の嵌挿穴１１２が形成されている。ここで、蓋部材４８の頂板部９２とホルダ部材１００の底板部１０５との間には、嵌挿穴１１２の外周側に軸方向に沿った厚さ一定の円板状の空間である弁体収納室１１４が形成され、この弁体収納室１１４内には弁体１０２が収納される。
【００５６】
弁体１０２は、ＮＲ、ＮＢＲ等のゴム組成物により成形されており、その上面側が平面状とされると共に、下面側が内周側から外周側へ向って上方へ僅かに傾斜するスロープ状に形成されており、軸方向に沿った肉厚が内周側から外周側へ向って徐々に薄くなっている。また弁体１０２には、上面中央部に円形凸状の突起部１１６が形成されると共に、下面中央部にも円形凸状の突起部１１８が形成されている。弁体１０２は、その上面側の突起部１１６を蓋部材４８の嵌挿穴９４内へ嵌挿すると共に、下面側の突起部１１８をホルダ部材１００の嵌挿穴１１２内へ嵌挿している。これにより、弁体１０２は、ホルダ部材１００及び蓋部材４８と同軸的に位置決めされると共に、径方向への移動が拘束される。
【００５７】
弁体１０２は、突起部１１６，１１８の周縁部付近が蓋部材４８の頂板部９２とホルダ部材１００の底板部１０５との間で軸方向に沿って圧縮されている。これにより、弁体１０２は、その上面部を所定の加圧力（予圧力）で蓋部材４８の頂板部９２の下面側へ圧接させると共に、蓋部材４８とホルダ部材１００との間で軸方向への移動が拘束される。弁体１０２は、圧縮状態となった部分の外周側の部分が下方へ向って撓み変形可能となっている。
【００５８】
図３に示されるように、弁体１０２は、その外周端を径方向に沿って蓋部材４８における弁座開口９６の外周端よりも外周側に位置させ、かつホルダ部材１００の連通開口１０８の外周端よりも内周側に位置させている。これにより、弁体１０２は、その上面部を頂板部９２に圧接させた状態（閉状態）で弁座開口９６を閉塞し、また、図３の２点鎖線で示されるように、外周側が下方へ撓み変形して頂板部９２から離間した状態（開状態）になると、弁座開口９６が弁体収納室１１４を介して連通開口１０８に連通した状態となり、主液室４２が弁体収納室１１４を通して仕切金具３６内のシリンダ室７６へ連通する。すなわち、弁体収納室１１４内に収納された弁体１０２、蓋部材４８及びホルダ部材１００は、主液室４２とシリンダ室７６との間で逆止弁１２８を構成しており、この逆止弁１２８は、主液室４２からシリンダ室７６（液圧空間１３０）内へのみ液体の流入を許容するが、液圧空間１３０から主液室４２内への液体の流出を阻止する。
【００５９】
ホルダ部材１００のガイドロッド１２０は、プランジャ部材７８の軸受穴８４内へ軸方向に沿って相対的に摺動可能となるように挿入されている。ここで、軸受穴８４が穿設されたガイド筒部８２及びガイドロッド１２０の一方が金属により形成されている場合には、他方を樹脂等のヤング率が所定値以上異なり、摩擦抵抗が小さい素材により形成することが好ましい。また軸受穴８４の内周面及びガイドロッド１２０の外周面の一方又は双方に潤滑性を有し、かつ耐摩耗性が高い物質をコーティングしてスライド時の摩擦抵抗を抑制するようにしても良い。またガイドロッド１２０は、その先端側がオリフィス部材４６の座受部８６及び逃げ穴５８内を通ってオリフィス部材４６の下方まで突出させている。
【００６０】
シリンダ室７６のオリフィス空間１３２は、オリフィス部材４６の複数の流通開口５２と座受部８６及び逃げ穴５８を通して常に副液室４４と連通している。また防振装置１０では、図１に示されるように、オリフィス部材４６における溝部６４の外周側が被覆部３４を介して外筒金具１２の内周面により閉塞される。これにより、溝部６４内には、スパイラル方向に沿って細長い空間であるシェイクオリフィス１２２が第１の制限通路として形成され、このシェイクオリフィス１２２は、その一端部がオリフィス部材４６の連通路６６及び蓋部材４８の切欠部９８を介して主液室４２に接続されると共に、他端部がオリフィス部材４６の連通路６８を介して副液室４４に接続される。
【００６１】
ここで、シェイクオリフィス１２２は、互いに断面積が異なる共用オリフィス部７０及び専用オリフィス部７２からなる溝部６４全体と連通路６６，６８とにより構成されている。このシェイクオリフィス１２２は、入力振動のうち相対的に低周波域の振動であるシェイク振動（例えば、９〜１５Ｈｚ）に対応するように、その路長及び断面積、すなわち液体の流通抵抗が設定（チューニング）されている。
【００６２】
溝部６４における共用オリフィス部７０は、シェイク振動に対して相対的に高周波域の振動であるアイドル振動（例えば、１８〜３０Ｈｚ）に対応するアイドルオリフィス１２４の一部を形成している。第２の制限通路であるアイドルオリフィス１２４は、共用オリフィス部７０、オリフィス開口７４及びオリフィス部材４６内のオリフィス空間１３２により構成されており、その路長及び断面積、すなわち液体の流通抵抗がアイドル振動に対応するように設定（チューニング）されている。ここで、アイドルオリフィス１２４におけり液体の流通抵抗は、シェイクオリフィス１２２における液体の流通抵抗よりも小さくなっている。
【００６３】
防振装置１０では、図４に示されるように、プランジャ部材７８が閉塞位置へ移動（下降）すると、オリフィス部材４６のオリフィス開口７４がプランジャ部材７８の外周面により閉塞され、共用オリフィス部７０がオリフィス空間１３２と非連通状態となる。これにより、主液室４２と副液室４４とは、シェイクオリフィス１２２のみを通して互いに連通する。
【００６４】
このとき、プランジャ部材７８の外周面における下端側の領域であるオーバラップ領域ＡＰを、軸方向に沿ってシリンダ室７６の内周面におけるオリフィス開口７４の下側の領域であるオーバラップ領域ＡＷの内周側に位置（オーバラップ）させる。このとき、オーバラップ領域ＡＰとオーバラップ領域ＡＷとの軸方向に沿った長さであるオーバラップ量ＯＬは、例えば、２．５〜３．０ｍｍ程度に設定される。このようにプランジャ部材７８が閉塞位置にある状態で、プランジャ部材７８のオーバラップ領域ＡＰとシリンダ室７６のオーバラップ領域ＡＷとをオーバラップさせることにより、後述するように、主液室４２内の液圧変化に伴ってプランジャ部材７８が軸方向に沿って微小振幅で振動しても、プランジャ部材７８によりオリフィス開口７４を確実に閉塞状態に維持できる。
【００６５】
ここで、シリンダ室７６側のオーバラップ領域ＡＷのオーバラップ量ＯＬが、補助開口１３４の軸方向に沿った長さＨよりも大きくなっていることから、補助開口１３４は、その内周側の端部がオーバラップ領域ＡＷ内で開口することになる。
【００６６】
また防振装置１０では、図３に示されるように、プランジャ部材７８が開放位置へ移動（上昇）すると、プランジャ部材７８がオリフィス開口７４から離れてオリフィス開口７４が開放され、共用オリフィス部７０がオリフィス空間１３２と連通状態となる。これにより、主液室４２と副液室４４とは、シェイクオリフィス１２２及びアイドルオリフィス１２４の双方を通して互いに連通するが、主液室４２内の液圧が変化した際には、主液室４２内から共用オリフィス部７０内へ流入した液体は、専用オリフィス部７２との境界部付近に達すると、専用オリフィス部７２よりも液体の流通抵抗が小さいオリフィス開口７４を通ってオリフィス空間１３２内へ優先的に流入し、またオリフィス開口７４を通って共用オリフィス部７０内へ流入した液体も、専用オリフィス部７２よりも液体の流通抵抗が小さい共用オリフィス部７０を優先的に通って主液室４２内へ抜ける。これにより、防振装置１０では、プランジャ部材７８が開放位置にある場合、実質的にアイドルオリフィス１２４のみを通って主液室４２と副液室４４との間で液体が流通する。
【００６７】
プランジャ部材７８には、図３に示されるように、その径方向中間部に軸方向へ貫通する複数本（本実施形態では、２本）の液圧解放路１２６が形成されている。これらの液圧解放路１２６は、コイルスプリング９０の付勢力により閉塞位置にあるプランジャ部材７８が開放位置側へ移動する際に、外部から閉じられた液圧空間１３０内の液体をオリフィス空間１３２内へ流出させ、液圧空間１３０の液圧上昇を防止してプランジャ部材７８を開放位置側へ移動可能にする。
【００６８】
次に、本発明の実施形態に係る防振装置１０の作用を説明する。
【００６９】
防振装置１０では、例えば、車両におけるエンジンが作動すると、エンジンが発生した振動が取付金具２０を介してゴム弾性体２４に伝達され、ゴム弾性体２４が弾性変形する。このとき、ゴム弾性体２４は吸振主体として作用し、ゴム弾性体２４の内部摩擦等に基づく吸振作用によって振動が吸収され、外筒金具１２を介して車体側へ伝達される振動が低減される。また自動車等の車両では、アイドリング運転時にエンジンが相対的に高周波域の振動であるアイドル振動を発生し、また所定速度以上での走行時にはエンジンが相対的に低周波域の振動であるシェイク振動を発生する。
【００７０】
また防振装置１０では、シェイクオリフィス１２２の主液室４２側の一部が、アイドルオリフィス１２４の一部を形成する共用オリフィス部７０とされ、この共用オリフィス部７０とシェイクオリフィス１２２における副液室４４側の一部である専用オリフィス部７２との間にシリンダ室７６のオリフィス空間１３２に連通するオリフィス開口７４が形成されていることから、主液室４２と副液室４４とが共用オリフィス部７０及び専用オリフィス部７２を含むシェイクオリフィス１２２により互いに連通すると共に、共用オリフィス部７０及びオリフィス空間１３２を含むアイドルオリフィス１２４によっても互いに連通する。
【００７１】
更に、防振装置１０では、プランジャ部材７８が、シリンダ室７６の液圧空間１３０内の液圧によりコイルスプリング９０の付勢力に抗して開放位置から閉塞位置に移動するとオリフィス開口７４を閉塞させ、コイルスプリング９０の付勢力により閉塞位置から開放位置へ復帰するとオリフィス開口７４を開放することから、開放位置にあったプランジャ部材７８が、逆止弁１２８を通して主液室４２から液圧空間１３０内へ供給される液圧により閉塞位置へ移動すると、ゴム弾性体２４の弾性変形に伴って、シェイクオリフィス１２２のみを通って主液室４２と副液室４４との間を液体が行き来し、また閉塞位置にあったプランジャ部材７８が、コイルスプリング９０の付勢力により開放位置へ復帰すると、シェイクオリフィス１２２及びアイドルオリフィス１２４の双方が開放された状態となるが、ゴム弾性体の弾性変形に伴って、液体の流通抵抗が相対的に小さいアイドルオリフィス１２４を優先的に通って主液室４２と副液室４４との間を液体が行き来する。
【００７２】
すなわち、防振装置１０では、相対的に周波数が低く振幅が大きいシェイク振動が入力した場合には、このシェイク振動によってゴム弾性体２４が弾性変形し、主液室４２内に相対的に大きな液圧変化が生じると共に、主液室４２内の周期的な液圧上昇時に逆止弁１２８を通して主液室４２から液圧空間１３０へ液体が流入して、液圧空間１３０内の液圧も主液室４２内の上昇時の液圧と略平衡する平衡圧まで上昇する。
【００７３】
ここで、防振装置１０では、コイルスプリング９０の付勢力がシェイク振動の入力時の液圧空間１３０内の液圧（平衡圧）に対応する値よりも小さく設定されており、これにより、シェイク振動の入力時には、プランジャ部材７８がコイルスプリングの付勢力に抗して開放位置から閉塞位置側へ間欠的に移動し、液圧空間１３０内の液圧により閉塞位置へ保持される。
【００７４】
従って、防振装置１０では、シェイク振動の入力時には、ゴム弾性体２４の弾性変形に伴って、シェイクオリフィス１２２のみを通して主液室４２と副液室４４の間を液体が行き来することから、このシェイクオリフィスを通過する液体の粘性抵抗や圧力損失により入力振動（低周波域振動）を吸収できるので、エンジン側から車体側へ伝達されるシェイク振動を低減できる。
【００７５】
このとき、シェイクオリフィス１２２における液体の流通抵抗がシェイク振動の周波数及び振幅に対応するように設定（チューニング）されていることから、シェイクオリフィス１２２を通って主液室４２と副液室４４との間を行き来する液体に共振現象（液柱共振）が生じ、この液柱共振の作用によってシェイク振動を特に効果的に吸収できる。
【００７６】
また防振装置１０では、相対的に周波数が高く振幅が小さいアイドル振動が入力した場合には、このアイドル振動によってゴム弾性体２４が弾性変形すると共に、主液室４２内に相対的に小さな液圧変化が生じることから、この場合にも、主液室４２内の周期的な液圧上昇時に逆止弁１２８を通して主液室４２から液圧空間へ液体が流入して、液圧空間１３０内の液圧が上昇して主液室４２内の上昇時の液圧（最高値）と略平衡する平衡圧まで達する。
【００７７】
ただし、防振装置１０では、コイルスプリング９０の付勢力がアイドル振動の入力時における液圧空間１３０内の平衡圧に対応する値よりも大きく設定されており、これにより、プランジャ部材７８が開放位置にあるときには、コイルスプリング９０の付勢力により開放位置に保持され、また閉塞位置にある場合には、コイルスプリング９０の付勢力により閉塞位置から開放位置へ移動（復帰）する。
【００７８】
なお、コイルスプリング９０の付勢力により閉塞位置にあるプランジャ部材７８が開放位置側へ移動する際には、プランジャ部材７８に形成された液圧解放路１２６が、外部から閉じられた液圧空間１３０内の液体をオリフィス空間１３２内へ流出させることから、液圧空間１３０の液圧上昇を防止してプランジャ部材７８を開放位置側へ円滑に、かつ低い移動抵抗で移動可能にする。
【００７９】
従って、防振装置１０では、アイドル振動の入力時には、ゴム弾性体２４の弾性変形に伴って、シェイクオリフィス１２２に対して液体の流通抵抗が小さいアイドルオリフィス１２４を優先的に通って主液室４２と副液室４４との間を液体が行き来することから、このアイドルオリフィス１２４を流通する液体の粘性抵抗や圧力損失等により入力振動（アイドル振動）を吸収できるので、エンジン側から車体側へ伝達されるアイドル振動を低減できる。
【００８０】
このとき、アイドルオリフィス１２４における液体の流通抵抗がアイドル振動の周波数及び振幅に対応するように設定（チューニング）されていることから、アイドルオリフィス１２４を通って主液室４２と副液室４４との間を行き来する液体に共振現象（液柱共振）が生じ、この液柱共振の作用によってアイドル振動を特に効果的に吸収できる。
【００８１】
この結果、防振装置１０によれば、電磁ソレノイドや空圧ソレノイド等の外部からの制御及び動力供給を受けて作動するバルブ機構を用いることなく、主液室４２と副液室４４とを連通するオリフィスを、入力振動の周波数に応じて、シェイクオリフィス１２２及びアイドルオリフィス１２４の何れか一方に、主液室４２内の液圧変化を駆動力として用い切り換えることができる。
【００８２】
また防振装置１０では、プランジャ部材７８が、シェイク振動の入力時に、液圧空間１３０内の液圧によりコイルスプリング９０の付勢力に抗して閉塞位置に移動すると、液圧空間１３０内には逆止弁１２８を通して主液室４２の加圧状態の液体が間欠的に供給されるが、主液室４２から液体が供給されない時期には、液圧空間１３０内の液圧がコイルスプリング９０からの付勢力を受けたプランジャ部材７８により加圧されて変化するので、液圧空間１３０内の液圧が主液室４２内の液圧変化に同期して周期的に変化する現象が生じる。
【００８３】
これにより、プランジャ部材７８は、コイルスプリング９０からの付勢力とのバランスを保ちつつ、液圧空間１３０内の周期的な液圧変化に伴い軸方向に沿って微小振幅で振動する。このとき、補助開口１３４がプランジャ部材７８の振動範囲の一部と重複するような部位に配置されていることから、閉塞位置に移動したプランジャ部材７８がシェイク振動に同期して振動すると共に、補助開口１３４の一部を周期的（間欠的）に開閉する。
【００８４】
従って、防振装置１０では、シェイク振動の入力時にプランジャ部材７８が閉塞位置へ移動すると、このプランジャ部材７８により補助開口１３４を入力振動の一周期内における所定の期間（一周期よりも短い時間間隔）にのみ開放させることができるので、この補助開口１３４が開放された期間には、補助開口１３４及びプランジャ部材７８により液体流通が絞られた状態となったアイドルオリフィス１２４を通して主液室４２と副液室４４とが制限的に連通する。
【００８５】
この結果、本実施形態に係る防振装置１０によれば、シェイク振動の入力時にプランジャ部材７８が閉塞位置へ移動してオリフィス開口７４を閉塞しても、入力振動（シェイク振動）に同期して補助開口１３４を周期的に開放することにより、プランジャ部材７８により開放された補助開口１３４の開口面積及び開口時間を適宜調整すれば、主液室４２内の液圧変化を所望量だけ小さくなるように制御することができ、この主液室４２の液圧変化の大きさ（圧力振幅）に応じて液圧空間１３０内の液圧が増減するので、入力振動がシェイク振動からアイドル振動に変化した場合に、プランジャ部材７８を開放位置側へ付勢するコイルスプリング９０の付勢力が小さくても、プランジャ部材７８が開放位置へ容易に復帰可能になる。
【００８６】
これにより、入力振動がシェイク振動からアイドル振動に変化した場合に、入力振動がアイドル振動に変化してからプランジャ部材７８が開放位置側へ移動開始するまでの時間（応答時間）を十分に短いものにできるので、プランジャ部材７８によりアイドルオリフィス１２４を閉塞状態から開放状態にするまでの所要時間を効果的に短縮できる。
【００８７】
なお、本実施形態に係る防振装置１０では、オリフィス部材４６の外周面における溝部６４の主液室４２側を共用オリフィス部７０とすると共に、副液室４４側を専用オリフィス部７２として、共用オリフィス部７０をシェイクオリフィス１２２及びアイドルオリフィス１２４で共用していたが、オリフィス部材４６にシェイクオリフィス１２２を形成する溝部から分離された別の溝部を形成し、この別の溝部をアイドルオリフィス１２４の一部とするようにしても良い。
【００８８】
また、本実施形態についての以上の説明では、図６に示されるように、補助開口１３４をオリフィス開口７４の下端側をＵ字状に切り欠いて形成したものとして説明したが、図７に示されるように、このような補助開口１３６は、オリフィス開口７４から分離された貫通穴状となるようにオリフィス部材４６に形成しても良い。このオリフィス開口７４は、オリフィス部材４６の内周面から共用オリフィス部７０の底面部との間を貫通しており、その内周側の端部がシリンダ室７６側のオーバラップ領域ＡＷに開口している。このような補助開口１３６をオリフィス部材４６に設けた場合にも、シェイク振動の入力時にプランジャ部材７８により補助開口１３６を周期的に開放させることができ、これにより、主液室４２内の液圧変化を所望量だけ小さくなるように制御することができるので、入力振動がシェイク振動からアイドル振動に変化した場合に、このアイドル振動の入力により生じる主液室４２内の液圧変化をシェイク振動の入力時よりも確実に小さいものにできる。
【００８９】
（第２の実施形態）
図８及び図９には本発明の第２の実施形態に係る防振装置が示されている。なお、本実施形態に係る防振装置１４０において、第１の実施形態に係る防振装置１０と同一の部分には同一符号を付して説明を省略する。
【００９０】
本実施形態に係る防振装置１４０が第１の実施形態に係る防振装置１０と異なる点は、補助開口１４２がプランジャ部材７８に設けられている点である。すなわち、図９に示されるように、プランジャ部材７８には、その円筒状の周壁部８１における下端に沿って複数個（本実施形態では、６個）の補助開口１４２が形成されている。これらの補助開口１４２は、周壁部８１がその下端から上端側へ向ってＵ字状に切り欠かれて形成されており、各補助開口１４２は、周方向に沿って等間隔（６０°間隔）で配列されている。ここで、補助開口１４２は、その外周側の端部がプランジャ部材７８におけるオーバラップ領域ＡＰ内に開口している。
【００９１】
補助開口１４２の軸方向に沿った長さＨは、第１の実施形態に係る補助開口１３４と同様に、プランジャ部材７８のオリフィス開口７４に対するオーバラップ量ＯＬ（図４参照）よりも小さくなっている。また互いに隣接する一対の補助開口１４２の周方向に沿った間隔は、オリフィス開口７４の周方向に沿った寸法と実質的に等しくなっている。これにより、プランジャ部材７８が軸心Ｓを中心とする回転方向に沿って任意の位置にあっても、少なくとも１個の補助開口１４２が周方向に沿ってオリフィス開口７４と一致し、また２個の補助開口１４２がそれぞれ周方向に沿ってオリフィス開口７４と部分的に一致する場合には、２個の補助開口１４２がオリフィス開口７４と重なり合う部分の面積の合計（有効開口面積）が１個の補助開口１４２の全開口面積と略等しいものになる。
【００９２】
次に、本発明の実施形態に係る防振装置１４０の作用を説明する。
【００９３】
防振装置１４０でも、第１の実施形態に係る防振装置１０と同様に、電磁ソレノイドや空圧ソレノイド等の外部からの制御及び動力供給を受けて作動するバルブ機構を用いることなく、主液室４２と副液室４４とを連通するオリフィスを、入力振動の周波数に応じて、シェイクオリフィス１２２及びアイドルオリフィス１２４の何れか一方に、主液室４２内の液圧変化を駆動力として用い切り換えることができるので、エンジン側から入力するシェイク振動及びアイドル振動の双方をそれぞれ効果的に減衰吸収し、車体側へ伝達される振動を低減できる。
【００９４】
また防振装置１４０では、シェイク振動の入力時にプランジャ部材７８が閉塞位置へ移動すると、このプランジャ部材７８が液圧空間１３０内の液圧変化に伴って振動することにより、補助開口１４２を入力振動の一周期内における所定の期間（一周期よりも短い時間間隔）にのみオリフィス開口７４に連通させることができるので、この補助開口１４２がオリフィス開口７４に連通している期間には、補助開口１４２及びプランジャ部材７８により液体流通が絞られた状態となったアイドルオリフィス１２４を通して主液室４２と副液室４４とが制限的に連通する。
【００９５】
この結果、本実施形態に係る防振装置１４０によれば、シェイク振動の入力時にプランジャ部材７８が閉塞位置へ移動してオリフィス開口７４を閉塞しても、入力振動（シェイク振動）に同期して補助開口１４２を周期的にオリフィス開口７４に連通させることにより、オリフィス開口７４に連通する際の補助開口１３４の開口面積及び開口時間を適宜調整すれば、主液室４２内の液圧変化を所望量だけ小さくなるように制御することができ、この主液室４２の液圧変化の大きさ（圧力振幅）に応じて液圧空間１３０内の液圧が増減するので、入力振動がシェイク振動からアイドル振動に変化した場合に、プランジャ部材７８を開放位置側へ付勢するコイルスプリング９０の付勢力を、液圧空間１３０内の液圧により生じるプランジャ部材７８を閉塞位置に保持しようとする保持力に対して十分に大きくすることが可能になる。
【００９６】
これにより、入力振動がシェイク振動からアイドル振動に変化した場合に、入力振動がアイドル振動に変化してからプランジャ部材７８が開放位置側へ移動開始するまでの時間（応答時間）を十分に短いものにできるので、プランジャ部材７８によりアイドルオリフィス１２４を閉塞状態から開放状態にするまでの所要時間を効果的に短縮できる。
【００９７】
また、本実施形態についての以上の説明では、図９に示されるように、補助開口１４２をプランジャ部材７８の周壁部８１をその下端から上方へ向ってＵ字状に切り欠いて形成したものとして説明したが、図１０に示されるように、このような補助開口１４４は、周壁部８１を径方向に沿って貫通する貫通穴状となるようにプランジャ部材７８の周壁部８１に形成しても良い。この補助開口１４４も、その外周側の端部がプランジャ部材７８のオーバラップ領域ＡＰに開口している。このような補助開口１４４をプランジャ部材７８に設けた場合にも、シェイク振動の入力時にプランジャ部材７８の振動により補助開口１４４を周期的にオリフィス開口７４に連通させることができ、これにより、主液室４２内の液圧変化を所望量だけ小さくなるように制御することができるので、入力振動がシェイク振動からアイドル振動に変化した場合に、このアイドル振動の入力により生じる主液室４２内の液圧変化をシェイク振動の入力時よりも確実に小さいものにできる。
【００９８】
（第３の実施形態）
図１１には本発明の第３の実施形態に係る防振装置が示されている。なお、本実施形態に係る防振装置１５０において、第１の実施形態に係る防振装置１０と同一の部分には同一符号を付して説明を省略する。
【００９９】
本実施形態に係る防振装置１５０が第１の実施形態に係る防振装置１０と異なる点は、ホルダ部材１００の底板部１０５に弁座開口１５２が穿設され、蓋部材４８の頂板部９２に流通開口１５４が穿設されると共に、蓋部材４８及びホルダ部材１００と共に逆止弁１５６を構成する弁体１５８が底板部１０５に圧接するように上下反転した状態で弁体収納室１１４内に収納されている点である。
【０１００】
さらに、防振装置１５０では、圧縮状態のコイルスプリング１６０が底板部１０５とプランジャ部材１６２との間に介装されており、コイルスプリング１６０は常にプランジャ部材１６２を下方（本実施形態では、開放位置側）へ付勢している。またプランジャ部材１６２には、その外周面から環状凹部８０の内周面まで貫通するプランジャ開口１６４が形成されており、このプランジャ開口１６４は、プランジャ部材１６２がオリフィス部材４８の底板部５０へ当接する開放位置にあると、オリフィス開口７４と同一位置に保持され、オリフィス開口７４と共に共用オリフィス部７０をオリフィス空間１３２内に連通させる。またプランジャ部材１６２は、開放位置からコイルスプリング１６０の圧縮限界となる閉塞位置まで移動すると、その外周面によりオリフィス開口７４を閉塞する。
【０１０１】
なお、本実施形態に係る防振装置１５０では、プランジャ部材１６２にプランジャ開口１６４内周面の下端側の一部がＵ字状に切りかかれて補助開口１６６が形成されている。このような補助開口は、オリフィス開口７４の内周面の上端側の一部が切り欠いてオリフィス部材４６側に形成するようにしても良い。
【０１０２】
次に、本発明の実施形態に係る防振装置１５０の作用を説明する。
【０１０３】
防振装置１５０では、主液室４２内の液圧が液圧空間１３０内の液圧に対して負圧になると、弁体１５８が弁座開口１５２を開放し、主液室４２内の液圧が液圧空間１３０内の液圧と略等しくなるか正圧になると、弁座開口１５２を閉鎖する。これにより、液圧空間１３０内の液圧は、振動入力時には、主液室４２内の液圧の下限値と平衡する圧力まで減圧される。
【０１０４】
従って、防振装置１５０では、相対的に周波数が低く振幅が大きいシェイク振動が入力した場合には、このシェイク振動によってゴム弾性体２４が弾性変形し、主液室４２内に相対的に大きな液圧変化が生じると共に、主液室４２内の周期的な液圧下降時に逆止弁１５６を通して液圧空間１３０内から主液室４２へ液体が流出して、液圧空間１３０内の液圧も主液室４２内の上昇時の液圧と略平衡する平衡圧まで下降する。
【０１０５】
ここで、防振装置１５０でも、コイルスプリング１６０の付勢力がシェイク振動の入力時の液圧空間１３０内の液圧（平衡圧）に対応する値よりも小さく設定されており、これにより、シェイク振動の入力時には、プランジャ部材１６２がコイルスプリングの付勢力に抗して開放位置から閉塞位置側へ間欠的に移動し、液圧空間１３０内の液圧（負圧）により閉塞位置へ保持される。
【０１０６】
従って、防振装置１５０では、シェイク振動の入力時には、ゴム弾性体２４の弾性変形に伴って、シェイクオリフィス１２２のみを通して主液室４２と副液室４４の間を液体が行き来することから、シェイク振動に対応するようにチューニングされたシェイクオリフィス１２２を通過する液体の粘性抵抗や圧力損失により入力振動（低周波域振動）を吸収できるので、エンジン側から車体側へ伝達されるシェイク振動を低減できる。
【０１０７】
また防振装置１５０では、相対的に周波数が高く振幅が小さいアイドル振動が入力した場合には、このアイドル振動によってゴム弾性体２４が弾性変形すると共に、主液室４２内に相対的に小さな液圧変化が生じることから、この場合にも、主液室４２内の周期的な液圧上昇時に逆止弁１５６を通して液圧空間１３０内から主液室４２へ液体が流出して、液圧空間１３０内の液圧が下降して主液室４２内の上昇時の液圧（下限値）と略平衡する平衡圧まで達する。
【０１０８】
ただし、防振装置１５０では、コイルスプリング１６０の付勢力がアイドル振動の入力時における液圧空間１３０内の平衡圧に対応する値よりも大きく設定されており、これにより、プランジャ部材１６２が開放位置にあるときには、コイルスプリング１６０の付勢力により開放位置に保持され、また閉塞位置にある場合には、コイルスプリング１６０の付勢力により閉塞位置から開放位置へ移動（復帰）する。
【０１０９】
従って、防振装置１５０では、アイドル振動の入力時には、ゴム弾性体２４の弾性変形に伴って、シェイクオリフィス１２２に対して液体の流通抵抗が小さいアイドルオリフィス１２４を優先的に通って主液室４２と副液室４４との間を液体が行き来することから、アイドル振動に対応するようにチューニングされたアイドルオリフィス１２４を流通する液体の粘性抵抗や圧力損失等により入力振動（アイドル振動）を吸収できるので、エンジン側から車体側へ伝達されるアイドル振動を低減できる。
【０１１０】
この結果、本実施形態に係る防振装置１５０によっても、電磁ソレノイドや空圧ソレノイド等の外部からの制御及び動力供給を受けて作動するバルブ機構を用いることなく、主液室４２と副液室４４とを連通するオリフィスを、入力振動の周波数に応じて、シェイクオリフィス１２２及びアイドルオリフィス１２４の何れか一方に、主液室４２内の液圧変化を駆動力として用い切り換えることができる。
【０１１１】
また防振装置１５０では、プランジャ部材１６２が、シェイク振動の入力時に、液圧空間１３０内の液圧によりコイルスプリング１６０の付勢力に抗して閉塞位置に移動すると、液圧空間１３０内には逆止弁１２８を通して主液室４２の加圧状態の液体が間欠的に供給されるが、主液室４２から液体が供給されない時期には、液圧空間１３０内の液圧がコイルスプリング１６０からの付勢力を受けたプランジャ部材１６２により減圧されて変化するので、液圧空間１３０内の液圧が主液室４２内の液圧変化に同期して周期的に変化する現象が生じる。
【０１１２】
これにより、プランジャ部材１６２は、コイルスプリング１６０からの付勢力とのバランスを保ちつつ、液圧空間１３０内の周期的な液圧変化に伴い軸方向に沿って微小振幅で振動する。このとき、補助開口１６６がプランジャ部材１６２の振動範囲の一部と重複するような部位に配置されていることから、閉塞位置に移動したプランジャ部材１６２がシェイク振動に同期して振動すると共に、補助開口１６６の一部を周期的（間欠的）に開閉する。
【０１１３】
従って、防振装置１５０では、シェイク振動の入力時にプランジャ部材１６２が閉塞位置へ移動すると、このプランジャ部材１６２により補助開口１６６を入力振動の一周期内における所定の期間（一周期よりも短い時間間隔）にのみ開放させることができるので、この補助開口１６６が開放された期間には、補助開口１６６及びプランジャ部材１６２により液体流通が絞られた状態となったアイドルオリフィス１２４を通して主液室４２と副液室４４とが制限的に連通する。
【０１１４】
この結果、本実施形態に係る防振装置１５０によれば、シェイク振動の入力時にプランジャ部材１６２が閉塞位置へ移動してオリフィス開口７４を閉塞しても、入力振動（シェイク振動）に同期して補助開口１６６を周期的に開放することにより、プランジャ部材１６２により開放された補助開口１３４の開口面積及び開口時間を適宜調整すれば、主液室４２内の液圧変化を所望量だけ小さくなるように制御することができ、この主液室４２の液圧変化の大きさ（圧力振幅）に応じて液圧空間１３０内の液圧が増減するので、入力振動がシェイク振動からアイドル振動に変化した場合に、プランジャ部材１６２を開放位置側へ付勢するコイルスプリング１６０の付勢力を、液圧空間１３０内の液圧により生じるプランジャ部材１６２を閉塞位置に保持しようとする保持力に対して十分に大きくすることが可能になる。
【０１１５】
これにより、入力振動がシェイク振動からアイドル振動に変化した場合に、入力振動がアイドル振動に変化してからプランジャ部材１６２が開放位置側へ移動開始するまでの時間（応答時間）を十分に短いものにできるので、プランジャ部材１６２によりアイドルオリフィス１２４を閉塞状態から開放状態にするまでの所要時間を効果的に短縮できる。
【０１１６】
また、以上説明した防振装置１０，１４０，１５０では、シェイクオリフィス１２２の主液室４２側の一部が、アイドルオリフィス１２４の一部を形成する共用オリフィス部７０としたことにより、シェイクオリフィス１２２の共用オリフィス部７０によりアイドルオリフィス１２４の一部を形成できるので、２本のシェイクオリフィス１２２及びアイドルオリフィス１２４を外筒金具１２内の狭いスペース内に効率的に配置でき、これによっても装置サイズを効率的に小型化できる。
【０１１７】
また防振装置１０，１４０，１５０では、略円筒状に形成されたオリフィス部材４６の外周面にシェイクオリフィス１２２（共用オリフィス部７０及び専用オリフィス部７２）及びアイドルオリフィス１２４の一部（共用オリフィス部７０）を形成すると共に、オリフィス部材４６の内周側にシリンダ室７６（オリフィス空間１３２）を設けたことにより、オリフィス部材４６（仕切金具３６）の軸方向及び径方向のサイズ増加を抑制しつつ、相対的に長い路長を必要とするシェイクオリフィス１２２及び大きな断面積を必要とするアイドルオリフィス１２４を仕切金具３６に効率的に配置できるので、結果として装置全体のサイズも効率的に小型化できる。
【０１１８】
なお、本実施形態に係る防振装置１０，１４０，１５０では、２本のオリフィス（第１の制限通路及び第２の制限通路）の一方をシェイク振動に対応するシェイクオリフィス１２２とし、他方をアイドル振動に対応するアイドルオリフィス１２４としたが、２本の第１の制限通路及び第２の制限通路を必ずしもシェイク振動及びアイドル振動に対応させる必要はなく、第１の制限通路が相対的に低い周波域の振動に対応するものとなり、第２の制限通路が相対的に高い周波域の振動に対応するものとなれば良い。
【０１１９】
また防振装置１０，１４０，１５０では、取付金具２０をエンジン側に連結すると共に、外筒金具１２を車体側に連結するように構成したが、これとは逆に、取付金具２０を車体側に連結すると共に、外筒金具１２をエンジン側に連結するようにしても良い。
【０１２０】
また本実施形態に係る防振装置１０、１４０、１５０では、主液室４２内の液圧上昇時に逆止弁１２８を通して液体を主液室４２から液圧空間１３０内へ供給し、この液圧空間１３０内の液圧を主液室４２の液圧上限値に対応する平衡圧に上昇させ、シェイク振動の入力時に、液圧空間１３０の液圧（正圧）によりプランジャ部材７８を開放位置から閉塞位置へ移動させていたが、これとは逆に、逆止弁を液圧空間１３０から主液室４２へのみ液体が流出させ得るように構成し、主液室４２内の液圧低下時に、この逆止弁を通して液体を液圧空間１３０から主液室４２内へ流出させることにより、液圧空間１３０内の液圧を主液室４２の液圧下限値に対応する平衡圧まで低下させ、シェイク振動の入力時に、液圧空間１３０の液圧（負圧）によりプランジャ部材７８を開放位置から閉塞位置へ移動させるようにして良い。
【図面の簡単な説明】
【０１２１】
【図１】本発明の第１の実施形態に係る防振装置の構成を示す軸方向に沿った断面図であり、プランジャ部材が開放位置にある状態を示している。
【図２】図１に示される防振装置の構成を示す軸方向に沿った断面図であり、プランジャ本体が閉塞位置にある状態を示している。
【図３】図１に示される防振装置における仕切金具及びプランジャ部材の構成を示す断面図であり、プランジャ部材が開放位置にある状態を示している。
【図４】図１に示される防振装置における仕切金具及びプランジャ部材の構成を示す断面図であり、プランジャ部材が閉塞位置にある状態を示している。
【図５】図１に示される防振装置における仕切金具及びプランジャ部材の構成を示す分解斜視図である。
【図６】図１に示される防振装置におけるオリフィス部材の構成を示す斜視図である。
【図７】図１に示される防振装置における補助開口の他の例を説明するための仕切金具の斜視図である。
【図８】本発明に第２の実施形態に係る防振装置の構成を示す軸方向に沿った断面図である。
【図９】図８に示される防振装置におけるプランジャ部材の構成を示す斜視図である。
【図１０】図８に示される防振装置における補助開口の他の例を説明するためのプランジャ部材の斜視図である。
【図１１】本発明に第３の実施形態に係る防振装置の構成を示す軸方向に沿った断面図である。
【符号の説明】
【０１２２】
１０      防振装置
１２      外筒金具（第１の取付部材）
２０      取付金具（第２の取付部材）
２４      ゴム弾性体（弾性体）
３６      仕切金具（支持部材）
４０      ダイヤフラム
４２      主液室
４４      副液室
７０      共用オリフィス部
７２      専用オリフィス部
７４      オリフィス開口
７６      シリンダ室
７８      プランジャ部材
７９      エッジ部
９０      コイルスプリング（付勢部材）
１０２    弁体
１２２    シェイクオリフィス（第１の制限通路）
１２４    アイドルオリフィス（第２の制限通路）
１２６    液圧解放路
１２８    逆止弁
１３０    液圧空間
１３２    オリフィス空間
１３４    補助開口
１３６    補助開口
１４０    防振装置
１４２    補助開口
１４４    補助開口
１５０    防振装置
１５６    逆止弁
１６０    コイルスプリング（付勢部材）
１６４    プランジャ開口
１６６    補助開口
【図１】
0004648155.tif 000002
【図２】
0004648155.tif 000003
【図３】
0004648155.tif 000004
【図４】
0004648155.tif 000005
【図５】
0004648155.tif 000006
【図６】
0004648155.tif 000007
【図７】
0004648155.tif 000008
【図８】
0004648155.tif 000009
【図９】
0004648155.tif 000010
【図１０】
0004648155.tif 000011
【図１１】
0004648155.tif 000012